(57)【要約】【課題】どこでも且つ平日でも公営競技ファンに対する払戻を提供することができる公営競技用データ処理システムを提供する。【解決手段】通信回線を介して顧客端末及び銀行システムと接続される公営競技用データ処理システムが、該顧客端末から顧客端末固体情報及び払戻口座情報を受信し、該銀行システムとの通信により口座を確認し、振込み用の口座登録を行う口座登録手段と、該顧客端末からの電子マネーによる電子投票又は発券機での現金による投票に応じて、投票内容と払戻情報のＵＲＬとをコード化した二次元コードを含む電子投票券又は紙製投票券の発行を制御する投票受付手段と、該二次元コードを読み込んだ該顧客端末から払戻依頼を受信し、該口座登録を確認し、該銀行システムとの通信により該当する口座に対する振込みを行う払戻手段と、を具備するように構成される。【選択図】図２
2008257430.tif 000002
【特許請求の範囲】
【請求項１】
通信回線を介して顧客端末及び銀行システムと接続される公営競技用データ処理システムであって、
該顧客端末から顧客端末固体情報及び払戻口座情報を受信し、該銀行システムとの通信により口座を確認し、振込み用の口座登録を行う口座登録手段と、
該顧客端末からの電子マネーによる電子投票又は発券機での現金による投票に応じて、投票内容と払戻情報のＵＲＬとをコード化した二次元コードを含む電子投票券又は紙製投票券の発行を制御する投票受付手段と、
該二次元コードを読み込んだ該顧客端末から払戻依頼を受信し、該口座登録を確認し、該銀行システムとの通信により該当する口座に対する振込みを行う払戻手段と、
を具備する公営競技用データ処理システム。
【請求項２】
該二次元コードがＱＲコードである、請求項１に記載の公営競技用データ処理システム。
【請求項３】
前記払戻手段が、二重払戻を防止するための管理を行う、請求項１に記載の公営競技用データ処理システム。
【請求項４】
該顧客端末固体情報に基づいて該顧客端末からのアクセスを認証し履歴を管理する手段を更に具備する、請求項１に記載の公営競技用データ処理システム。
【請求項５】
通信回線を介して顧客端末及び銀行システムと接続される公営競技用データ処理システムに設けられるコンピュータを、
該顧客端末から顧客端末固体情報及び払戻口座情報を受信し、該銀行システムとの通信により口座を確認し、振込み用の口座登録を行う口座登録手段と、
該顧客端末からの電子マネーによる電子投票又は発券機での現金による投票に応じて、投票内容と払戻情報のＵＲＬとをコード化した二次元コードを含む電子投票券又は紙製投票券の発行を制御する投票受付手段と、
該二次元コードを読み込んだ該顧客端末から払戻依頼を受信し、該口座登録を確認し、該銀行システムとの通信により該当する口座に対する振込みを行う払戻手段と、
として機能させるためのプログラム。
【請求項６】
通信回線を介して顧客端末及び銀行システムと接続される公営競技用データ処理システムにおけるデータ処理方法であって、
口座登録手段が、該顧客端末から顧客端末固体情報及び払戻口座情報を受信し、該銀行システムとの通信により口座を確認し、振込み用の口座登録を行うステップと、
投票受付手段が、該顧客端末からの電子マネーによる電子投票又は発券機での現金による投票に応じて、投票内容と払戻情報のＵＲＬとをコード化した二次元コードを含む電子投票券又は紙製投票券の発行を制御するステップと、
払戻手段が、該二次元コードを読み込んだ該顧客端末から払戻依頼を受信し、該口座登録を確認し、該銀行システムとの通信により該当する口座に対する振込みを行うステップと、
を具備するデータ処理方法。
【発明の詳細な説明】
【技術分野】
【０００１】
本発明は、競馬、競輪、競艇、オートレース等の公営競技のためのデータ処理システムに関する。
【背景技術】
【０００２】
例えば、大きな競馬場などにおいて、発券機と離れた観客席にいる競馬ファンにとっては、投票券を購入することは煩わしい行為となる。下記特許文献１は、その煩わしさを解消するため、発売係員が携帯することができる移動型投票端末機を観客席へ持込み、ユーザに対して、その場所で投票券を購入することを可能にするシステムが開示されている。
【０００３】
しかし、的中した投票券に基づいて払戻を受けるに際しては、払戻機まで足を運ばなければならない。更に、公営競技場内又は場外にある払戻所で、平日でも払戻可能な場所は、限られており、ユーザにとっては利便性の面で改善の余地がある。
【０００４】
【特許文献１】特開２００４−０６２３０３号公報
【発明の開示】
【発明が解決しようとする課題】
【０００５】
本発明は、上述した問題点に鑑みてなされたものであり、その目的は、どこでも且つ平日でも公営競技ファンに対する払戻を提供することができる公営競技用データ処理システムを提供することにある。
【課題を解決するための手段】
【０００６】
上記目的を達成するために、本発明によれば、通信回線を介して顧客端末及び銀行システムと接続される公営競技用データ処理システムであって、該顧客端末から顧客端末固体情報及び払戻口座情報を受信し、該銀行システムとの通信により口座を確認し、振込み用の口座登録を行う口座登録手段と、該顧客端末からの電子マネーによる電子投票又は発券機での現金による投票に応じて、投票内容と払戻情報のＵＲＬとをコード化した二次元コードを含む電子投票券又は紙製投票券の発行を制御する投票受付手段と、該二次元コードを読み込んだ該顧客端末から払戻依頼を受信し、該口座登録を確認し、該銀行システムとの通信により該当する口座に対する振込みを行う払戻手段と、を具備する公営競技用データ処理システムが提供される。
【０００７】
一つの好適な態様では、該二次元コードはＱＲコードである。
【０００８】
一つの好適な態様では、前記払戻手段は、二重払戻を防止するための管理を行う。
【０００９】
一つの好適な態様では、該顧客端末固体情報に基づいて該顧客端末からのアクセスを認証し履歴を管理する手段が更に具備される。
【００１０】
さらに、本発明によれば、上述のシステムにおいて実施される方法及び上述のシステムを機能させるためのコンピュータプログラムが提供される。
【発明の効果】
【００１１】
本発明による公営競技用データ処理システムにあっては、投票内容と払戻情報のＵＲＬとをコード化した二次元コードを含む投票券が発行され、それに基づく電子的な払戻依頼が可能となることで、公営競技ファンは、払戻機まで足を運ぶことなく、かつ、銀行振込みにより平日においても、払戻を受けることができるようになる。
【発明を実施するための最良の形態】
【００１２】
以下、添付図面を参照して本発明の実施形態について説明する。図１は、本発明による公営競技用データ処理システム（競技場システム）を含むネットワークの構成を示す図である。同図において、符号１０は公営競技用データ処理システムとしての競技場システム、符号２０は銀行システム、符号３０は携帯電話又はパーソナルコンピュータ（ＰＣ）からなる顧客端末、をそれぞれ示す。銀行システム２０及び顧客端末３０は、それぞれ一つ図示されているが、通常、複数個で構成される。
【００１３】
競技場システム１０、銀行システム２０及び顧客端末３０の各々は、プロセッサ、メインメモリ等を備えるコンピュータシステムである。プロセッサが、メインメモリにロードされたプログラムに従って動作することにより、これらのコンピュータシステムは、各々の処理機能を実現する。
【００１４】
そして、図１に示されるように、競技場システム１０、銀行システム２０及び顧客端末３０の各々は、インターネット４２に接続することができる。また、競技場システム１０と銀行システム２０との間には、専用回線４４が設けられている。
【００１５】
競技場システム１０は、投票システム１２及び払戻システム１４という二つのサブシステムから構成される。投票システム１２は、発行済み投票券の集計等を行うものであり、投票データベース１２２を備える。また、投票システム１２は、接続された発券機１２４に対する制御を行う。一方、払戻システム１４は、払戻金の計算等を行うものであり、払戻管理データベース１４２を備える。
【００１６】
また、銀行システム２０は、通常の銀行業務に加え、インターネットバンキングをサポートするものであり、顧客データベース２２を備える。
【００１７】
また、顧客端末３０は、当該顧客に対応する電子マネー記憶部３２を、その内部又は外部に備える。例えば、ネットワーク型電子マネーの場合、電子マネー記憶部３２は、パーソナルコンピュータや携帯電話の内部メモリ内に設けられてもよいし、インターネット接続業者のシステムのメモリ内に設けられてもよい。
【００１８】
図２は、競技場システム、銀行システム及び顧客端末の動作の流れを示す図である。まず、ステップ２０２、２０４、２０６、２０８及び２１０において、払戻システム１４に対し、ファンによる口座登録が行われる。
【００１９】
具体的には、顧客端末３０から、インターネット４２を介して、払戻システム１４へ、電子マネー会員を特定する番号としての顧客端末３０の固体情報と、ファンに対しての払戻金の銀行振込み先としての払戻口座情報と、が送信される（ステップ２０２）。
【００２０】
すると、払戻システム１４から、インターネット４２を介して、顧客端末３０へ、受付完了を示す情報が送信される（ステップ２０４）。
【００２１】
次いで、払戻システム１４から、専用回線４４を介して、銀行システム２０へ、口座確認のための問い合わせが送信される（ステップ２０６）。
【００２２】
それに対し、銀行システム２０から、専用回線４４を介して、払戻システム１４へ、口座確認結果が送信される（ステップ２０８）。
【００２３】
その口座確認結果に基づいて、払戻システム１４は、払戻管理データベース１４２に、オンライン払戻用の口座番号を登録する（ステップ２１０）。
【００２４】
口座登録が完了すると、ステップ２１２及び２１４において、投票券の購入に必要となる代金を予め蓄えておくための入金処理が行われる。なお、現金により投票を行う場合には、ステップ２１２及び２１４は不要となる。
【００２５】
具体的には、まず、顧客端末３０から、インターネット４２を介して、銀行システム２０に対し、オンラインによる入金が行われる（ステップ２１２）。
【００２６】
その入金に応じて、電子マネー記憶部３２に、一定金額の電子マネーがチャージされることとなる（ステップ２１４）。
【００２７】
次いで、ステップ２１６及び２１８において、電子投票又は現金による投票が行われる。
【００２８】
電子投票の場合、まず、顧客端末３０から、インターネット４２を介して、投票システム１２へ、投票情報が、電子マネー記憶部３２に記憶された電子マネーとともに、送信される（ステップ２１６）。現金による投票の場合、ファンが発券機１２４に現金を投入することにより行われる。
【００２９】
すると、電子投票の場合、その投票情報及び電子マネーに基づいて、投票システム１２から、インターネット４２を介して、顧客端末３０へ、電子投票券が発行される（ステップ２１８）。現金による投票の場合、発券機１２４より紙製投票券が発行される。この電子投票券や紙製投票券には、投票内容を示す投票キーと、払戻管理データベース１４２内の払戻情報のＵＲＬ（Uniform Resource Locator）と、をコード化したＱＲ（Quick Response）コードが含まれている。ＱＲコードは、高速読み取りを可能にしたマトリクス型二次元コードである。
【００３０】
次いで、ステップ２２０、２２２、２２４、２２６及び２２８において、ファンは払戻を受けることができる。
【００３１】
まず、電子投票券又は紙製投票券に含まれるＱＲコードが顧客端末３０によって読み込まれる（ステップ２２０）。
【００３２】
次いで、顧客端末３０が、ＱＲコード内のＵＲＬに基づいて払戻システム１４へアクセスして、投票キーによる払戻依頼が送信される（ステップ２２２）。
【００３３】
すると、払戻システム１４から、インターネット４２を介して、顧客端末３０へ、的中情報が送信される（ステップ２２４）。
【００３４】
それと同時に、払戻システム１４は口座登録を確認し、払戻システム１４から、専用回線４４を介して、銀行システム２０へ、払戻金の振込み依頼が行われる（ステップ２２６）。
【００３５】
振込み完了後、銀行システム２０から、専用回線４４を介して、払戻システム１４へ、振込み結果が送信される（ステップ２０８）。払戻システム１４は、払戻管理データベース１４２において払戻済みであることを設定することにより、二重払戻を防止するための管理を行う。
【００３６】
以後、ファンは、自分の口座に振込まれた払戻金を引出す等、払戻金を自由に処理することができる。
【００３７】
なお、投票システム１２及び払戻システム１４は、顧客端末３０の固体情報に基づいて顧客端末３０からのアクセスを認証し履歴を管理する。また、振込み先も登録制とされているため、偽造時のトレーサビリティも確保される。
【００３８】
以上、本発明を特にその好ましい実施の形態を参照して詳細に説明した。本発明の容易な理解のため、本発明の具体的な形態を以下に付記する。
【００３９】
（付記１）  通信回線を介して顧客端末及び銀行システムと接続される公営競技用データ処理システムであって、
該顧客端末から顧客端末固体情報及び払戻口座情報を受信し、該銀行システムとの通信により口座を確認し、振込み用の口座登録を行う口座登録手段と、
該顧客端末からの電子マネーによる電子投票又は発券機での現金による投票に応じて、投票内容と払戻情報のＵＲＬとをコード化した二次元コードを含む電子投票券又は紙製投票券の発行を制御する投票受付手段と、
該二次元コードを読み込んだ該顧客端末から払戻依頼を受信し、該口座登録を確認し、該銀行システムとの通信により該当する口座に対する振込みを行う払戻手段と、
を具備する公営競技用データ処理システム。
【００４０】
（付記２）  該二次元コードがＱＲコードである、付記１に記載の公営競技用データ処理システム。
【００４１】
（付記３）  前記払戻手段が、二重払戻を防止するための管理を行う、付記１に記載の公営競技用データ処理システム。
【００４２】
（付記４）  該顧客端末固体情報に基づいて該顧客端末からのアクセスを認証し履歴を管理する手段を更に具備する、付記１に記載の公営競技用データ処理システム。
【００４３】
（付記５）  通信回線を介して顧客端末及び銀行システムと接続される公営競技用データ処理システムに設けられるコンピュータを、
該顧客端末から顧客端末固体情報及び払戻口座情報を受信し、該銀行システムとの通信により口座を確認し、振込み用の口座登録を行う口座登録手段と、
該顧客端末からの電子マネーによる電子投票又は発券機での現金による投票に応じて、投票内容と払戻情報のＵＲＬとをコード化した二次元コードを含む電子投票券又は紙製投票券の発行を制御する投票受付手段と、
該二次元コードを読み込んだ該顧客端末から払戻依頼を受信し、該口座登録を確認し、該銀行システムとの通信により該当する口座に対する振込みを行う払戻手段と、
として機能させるためのプログラム。
【００４４】
（付記６）  該二次元コードがＱＲコードである、付記５に記載のプログラム。
【００４５】
（付記７）  前記払戻手段が、二重払戻を防止するための管理を行う、付記５に記載のプログラム。
【００４６】
（付記８）  該コンピュータを、更に、該顧客端末固体情報に基づいて該顧客端末からのアクセスを認証し履歴を管理する手段として機能させる、付記５に記載のプログラム。
【００４７】
（付記９）  通信回線を介して顧客端末及び銀行システムと接続される公営競技用データ処理システムにおけるデータ処理方法であって、
口座登録手段が、該顧客端末から顧客端末固体情報及び払戻口座情報を受信し、該銀行システムとの通信により口座を確認し、振込み用の口座登録を行うステップと、
投票受付手段が、該顧客端末からの電子マネーによる電子投票又は発券機での現金による投票に応じて、投票内容と払戻情報のＵＲＬとをコード化した二次元コードを含む電子投票券又は紙製投票券の発行を制御するステップと、
払戻手段が、該二次元コードを読み込んだ該顧客端末から払戻依頼を受信し、該口座登録を確認し、該銀行システムとの通信により該当する口座に対する振込みを行うステップと、
を具備するデータ処理方法。
【００４８】
（付記１０）  該二次元コードがＱＲコードである、付記９に記載のデータ処理方法。
【００４９】
（付記１１）  前記払戻手段が、二重払戻を防止するための管理を行う、付記９に記載のデータ処理方法。
【００５０】
（付記１２）  管理手段が、該顧客端末固体情報に基づいて該顧客端末からのアクセスを認証し履歴を管理するステップ、を更に具備する、付記９に記載のデータ処理方法。
【図面の簡単な説明】
【００５１】
【図１】本発明による公営競技用データ処理システム（競技場システム）を含むネットワークの構成を示す図である。
【図２】競技場システム、銀行システム及び顧客端末の動作の流れを示す図である。
【符号の説明】
【００５２】
１０    公営競技用データ処理システム（競技場システム）
１２    投票システム
１２２    投票データベース
１２４    発券機
１４    払戻システム
１４２    払戻管理データベース
２０    銀行システム
２２    顧客データベース
３０    顧客端末（携帯電話又はＰＣ）
３２    電子マネー記憶部
４２    インターネット
４４    専用回線
【図１】
2008257430.tif 000003
【図２】
2008257430.tif 000004